(57)【要約】      （修正有）【課題】扇風機の数量を追加せず、テーブルの周囲に座っている人の全員にエアを吹き出すことができ、照明機能を有しても、高熱が発生せず、折り畳んで収納することができる扇風機を提供する。【解決手段】照明装置を有し、エアを３６０度に吹き出し可能であり、ベース１と、ファン２と、導流部材３と、卓板４と、複数の照明素子とを含む扇風機において、ベース１は、複数の通気サイドプレート１１から構成され、その内部に収容空間１０が形成され、通気サイドプレート１１の中央に通気口１１１が複数設けられ、ファン２は、上に向くように設けられ、ベース１の収容空間１０に固定され、通気口１１１に複数のフレキシブル通気片を設けてもよく、導流部材３は、ベース１の上に張設され、その底部を円弧面３１にしてもよく、卓板４は、その下に溝４０が設けられ、ベース１の上からベース１をカバーし、照明素子は、卓板４の側縁に設けられる。【選択図】図１
0003166776.tif 000002
【実用新案登録請求の範囲】
【請求項１】
照明装置を有し、エアを３６０度に吹き出し可能であり、ベース（１）と、ファン（２）と、導流部材（３）と、卓板（４）と、複数の照明素子（５）と、を含む扇風機において、
前記ベース（１）は、複数の通気サイドプレート（１１）から構成され、その内部に収容空間（１０）が形成され、前記通気サイドプレート（１１）の中央に通気口（１１１）が複数設けられ、
前記ファン（２）は、上に向くように設けられ、前記ベース（１）の前記収容空間（１０）に固定され、
前記導流子（３）は、前記ベース（１）の上に張設され、
前記卓板（４）は、その下に溝（４０）が設けられ、前記ベース（１）の上から前記ベース（１）をカバーし、
前記照明素子（５）は、前記卓板（４）の側縁に設けられることを特徴とする扇風機。
【請求項２】
前記通気口（１１１）に複数のフレキシブル通気片（１１１ａ）が設けられることを特徴とする、請求項１に記載の扇風機。
【請求項３】
前記導流部材（３）の底部は円弧面（３１）であることを特徴とする、請求項１に記載の扇風機。
【請求項４】
前記通気サイドプレート（１１）は、一端に連結部（１１２）が設けられ、他端には、前記連結部（１１２）に対応する連結溝（１１３）が設けられることを特徴とする、請求項１に記載の扇風機。
【請求項５】
前記卓板（４）には、更に、二つの折畳サイドプレート（４１）が設けられ、二つの前記折畳サイドプレート（４１）は、複数の連結部材（４２）を介して前記卓板（４）の両端にそれぞれ設けられることを特徴とする、請求項１に記載の扇風機。
【考案の詳細な説明】
【技術分野】
【０００１】
本考案は、照明装置を有し、エアを３６０度に吹き出し可能な扇風機に関し、特に、テーブルにファンを結合することにより、エアを３６０度に吹き出し可能であり、且つ照明の用途に利用できる扇風機に関するものである。
【背景技術】
【０００２】
テーブルの周囲にある座席が満席になるときには、空気を流通でき、或いは熱を発散できるために、エアコンを利用することが一般であるが、二酸化炭素の大気への放出を減少するために、エアコンファン又は扇風機を利用することがますます増えてきている。しかし、エアコンファンは、天井に取り付ける必要があり、エアコンと共に利用することも必要である。エアコンファンを単独に利用する場合には、熱を有効に発散できず、それを分解して清掃することが困難である。扇風機を利用する場合には、エアを吹き出し可能な角度が大きいが、一つの扇風機によりテーブルの周囲に座っている人の全員にエアを吹き出すことができないため、扇風機の数量を追加する必要がある。
【０００３】
テーブルは照明機能を有しないことが一般であり、卓面に電気スタンドを設けると、卓面の利用できるスペースが減少する。照明機能を有するテーブルは、商品を展示する用途に利用されることが一般的であり、展示の目的を達成するために、高光度および高集光性を有する照明装置をテーブルに組付けることが一般であるが、そうすると、照明装置による熱によりテーブルの周囲の温度が上昇するという問題があった。また、照明装置を有するテーブルは、折り畳んで収納することができないものが多いため、かなりのスペースをとり、運搬が困難であるという問題があった。
【考案の概要】
【考案が解決しようとする課題】
【０００４】
本考案の主な目的は、扇風機の数量を追加せずに、テーブルの周囲に座っている人の全員にエアを吹き出すことができ、照明機能を有しても、高熱が発生しない扇風機を提供することにある。
【課題を解決するための手段】
【０００５】
本考案の扇風機によると、照明装置を有し、エアを３６０度に吹き出し可能であり、ベース１と、ファン２と、導流部材３と、卓板４と、複数の照明素子５とを含む扇風機において、前記ベース１は、複数の通気サイドプレート１１から構成され、その内部に収容空間１０が形成され、前記通気サイドプレート１１の中央に通気口１１１が複数設けられ、前記ファン２は、上に向くように設けられ、前記ベース１の前記収容空間１０に固定され、前記通気口１１１に複数のフレキシブル通気片１１１ａを設けてもよく、前記導流部材３は、前記ベース１の上に張設され、その底部を円弧面３１にしてもよく、前記卓板４は、その下に溝４０が設けられ、前記ベース１の上から前記ベース１をカバーし、前記照明素子５は、前記卓板４の側縁に設けられることを特徴とする。
【０００６】
本考案の扇風機によると、前記通気サイドプレート１１は、一端に連結部１１２が設けられ、他端には、前記連結部１１２に対応する連結溝１１３が設けられることを特徴とする。
【０００７】
本考案の扇風機によると、前記卓板４には、更に、二つの折畳サイドプレート４１が設けられ、二つの前記折畳サイドプレート４１は、複数の連結部材４２を介して前記卓板４の両端にそれぞれ設けられることを特徴とする。
【考案の効果】
【０００８】
本考案の扇風機によれば、次のような効果がある。
（１）扇風機の数量を追加せず、テーブルの周囲に座っている人の全員にエアを吹き出すことができ、電力の消費を減少できる。
【０００９】
（２）ファンの下にエアフィルタが設けられるため、吹き出される気流に含まれるホコリが大幅に減少する。
【００１０】
（３）光源の光が卓板から射出し、照明素子の光度を調整できるため、卓面を展示でき、又は暗い環境において、作業をすることができる。
【００１１】
（４）卓板が二つの折畳サイドプレートを有するため、卓面のスペースをフレキシブルに調整できる。
【００１２】
（５）折り畳んで収納することができるため、スペースをとらず、収納および運搬が便利になる。
【図面の簡単な説明】
【００１３】
【図１】本考案の第１の実施の形態の扇風機の分解斜視図である。
【図２】本考案の第１の実施の形態の組み立て済みの扇風機の斜視図である。
【図３】図２における折畳サイドプレートを展開した状態を示す模式図である。
【図４】図３のＡ−Ａ線の断面図である。
【図５】図３のＢ−Ｂ線の断面図である。
【図６】本考案の第２の実施の形態の組み立て済みの扇風機の斜視図である。
【図７】図６のＣ−Ｃ線の断面図である。
【考案を実施するための形態】
【００１４】
以下、本考案の実施の形態を図面に基づいて説明する。
（第１の実施の形態）
まず、図１乃至図５を参照する。本考案の扇風機は、ベース１と、ファン２と、導流部材３と、卓板４と、複数の照明素子５と、リモコン装置６と、を含む。
【００１５】
ベース１は、複数の通気サイドプレート１１から構成され、その内部に収容空間１０が形成される。通気サイドプレート１１の中央には、通気口１１１が複数設けられる。通気サイドプレート１１は、一端に連結部１１２が設けられ、他端には、連結部１１２に対応する連結溝１１３が設けられる。複数の通気サイドプレート１１は、連結部１１２と連結溝１１３とにより前後に連結する。ベース１は、円形、或いは多角形にしてもよいが、本実施例では、ベース１が矩形を呈する。ベース１の底部には、更に、複数の滑止具１２が設けられる。滑止具１２によりベース１の摺動を防止できる。通気サイドプレート１１は、木製製品若しくは金属製品として構成され、又は樹脂を射出成形して構成されるものである。
【００１６】
ファン２は、上に向くように設けられ、ベース１の収容空間１０に固定される。ファン２の下端には、更に、エアフィルタ２１が設けられる。エアフィルタ２１は、ろ過用網、又はろ過用スポンジである。エアフィルタ２１により、ファン２に吸い込まれるエアに含むホコリをろ過することができる。
【００１７】
導流部材３は、ベース１の上に張設される。導流部材３の底部は、円弧面３１であってよい。これにより、ファン２から吹き出されるエアの上への流動が水平方向に変換され、ファン２の効率が増加する。
【００１８】
卓板４は、その下に溝４０が設けられ、ベース１の上からベース１をカバーする。卓板４には、更に、二つの折畳サイドプレート４１が設けられ、二つの折畳サイドプレート４１は、複数の連結部材４２を介して卓板４の両端にそれぞれ設けられる。これにより、卓面のスペースをフレキシブルに調整できる。
【００１９】
複数の照明素子５は卓板４の側縁に設けられる。本実施の形態では、複数の照明素子５が卓板４内に設けられる。照明素子５は、発光ダイオード、又は電球であり、これにより、卓面を展示でき、又は暗い環境において、作業をすることができる。
【００２０】
制御部６は、ファン２及び照明素子５と電気的に接続し、ファン２の風力と照明素子５の光度とを段階的に調整できる。制御部６には、更に、表示モジュール６１が設けられる。表示モジュール６１により、ファン２と照明素子５との稼動状況を表示できる。
【００２１】
（第２の実施の形態）
図６及び図７を参照する。本実施例では、照明素子５が卓板４の両側に設けられ、又は照明具５ａが卓板４の下縁に設けられ、これにより、全体の照明効果を向上できる。通気口１１１には、複数のフレキシブル通気片１１１ａと、フレキシブル通気片１１１ａの傾斜角度を調整する調整具１３と、が設けられてもよい。調整具１３により、気流の方向を変化させ、又は気流を遮断することができる。本実施の形態では、更に、ファン２上に設けられるマイナスイオン発生装置７を含む。マイナスイオン発生装置７からのマイナスイオンは、ファン２による気流によって外部に吹き出される。
【符号の説明】
【００２２】
１：ベース
２：ファン
３：導流部材
４：卓板
５：照明素子
５ａ：照明具
７：マイナスイオン発生装置
１０：収容空間
１１：通気サイドプレート
１２：滑止具
２１：エアフィルタ
３１：円弧面
４０：溝
４１：折畳サイドプレート
４２：連結部材
６１：表示モジュール
１１１：通気口
１１１ａ：フレキシブル通気片
１１２：連結部
１１３：連結溝
【産業上の利用可能性】
【００２３】
本考案は、扇風機に適用することができる。
【図１】
0003166776.tif 000003
【図２】
0003166776.tif 000004
【図３】
0003166776.tif 000005
【図４】
0003166776.tif 000006
【図５】
0003166776.tif 000007
【図６】
0003166776.tif 000008
【図７】
0003166776.tif 000009